(57)【特許請求の範囲】
【請求項１】
上方側の内容物と下方側の濾過用隔壁底部材とを間隔をおいて包装した袋体と、
当該袋体の周囲を覆うとともに、当該袋体の外表面に連結されて折り畳まれており、開いた状態でカップ上に載置固定される筒状枠体と、を備え、
上記袋体には、濾過用隔壁底部材の下端縁よりも下方側に下部開口予定部が、濾過用隔壁底部材の上端縁よりも上方側に上部開口予定部が、それぞれ形成されたことを特徴とする、ドリッパー。
【請求項２】
上記上部開口予定部は、内容物よりも上方側に形成されていることを特徴とする、請求項１記載のドリッパー。
【請求項３】
折畳状態にある前記筒状枠体の側縁に、開いた状態にあるときの当該筒状枠体の筒状形状を保持する保形用押込部を設けたことを特徴とする、請求項１または２記載のドリッパー。
【請求項４】
上記筒状枠体の下端縁に、カップの上端縁と係合する係合突片が形成されたことを特徴とする、請求項１〜３のいずれか１つに記載のドリッパー。
【請求項５】
上記筒状枠体は、折畳状態から開けるときに摘む起立フラップを備えていることを特徴とする、請求項１〜４のいずれか１つに記載のドリッパー。
【請求項６】
上記内容物および濾過用隔壁底部材が真空包装されていることを特徴とする、請求項１〜５のいずれか１つに記載のドリッパー。
【発明の詳細な説明】
【０００１】
【発明の属する技術分野】
本発明は、レギュラーコーヒー粉、紅茶や緑茶の葉等の内容物を漉す時に使用するドリッパーに関する。さらに詳しくは、内容物を一体的に収納したドリッパーに関する。
【０００２】
【従来の技術】
従来から、レギュラーコーヒー、紅茶、緑茶等を愛飲する際に、缶や瓶あるいは包装袋に収納されたレギュラーコーヒー粉、紅茶や緑茶の葉等の内容物を漉すために、漉し器の準備や洗浄等の手間が不要であって、使い勝手がよいといった理由から、使い捨てタイプのドリッパーが市販されている。
【０００３】
この種のドリッパーは、いずれも、折り畳み可能な紙製の器板の内部に漏斗状フィルターを取り付けた構成からなる。まず、折り畳まれた紙製器板を起立させると共に、当該器板に設けられた突片あるいは切込や切欠部を利用してカップ壁面にドリッパーを載置固定する。次に、別の缶、瓶、包装袋等に収納されたレギュラーコーヒー粉、紅茶や緑茶の葉等の内容物を、ドリッパーの漏斗状フィルター内に充填し、熱湯を漏斗状フィルター内に注湯することにより、カップ内にレギュラーコーヒーや紅茶、緑茶等を得ることができる。
【０００４】
この種の使い捨てタイプのドリッパーは、漉し器の準備や洗浄等の手間が不要であり、また、使い勝手が良いなどの理由から独身者や単身赴任者などの使用者に好んで用いられている。しかし、使用者にとっては、レギュラーコーヒー粉、紅茶や緑茶の葉等の内容物については、別途用意する必要があり、この点においては不満があった。この使用者の不満を解決するものとして、たとえば、ドリッパーにレギュラーコーヒー粉、紅茶や緑茶の葉等の内容物を密封状態で収納した包装袋を添付したものが市販されているが、レギュラーコーヒー粉、紅茶や緑茶の葉等の内容物を別途用意する手間は省けるものの、これについても包装袋を開封してレギュラーコーヒー粉、紅茶や緑茶の葉等の内容物をドリッパー内に充填する手間は同じであり、使用者にとってはなお不満の残るものであった。
【０００５】
そこで、使用者の上記不満を解決するものとして、たとえば、実公昭６０−７６１５号公報が開示されている。この公報に開示されたドリッパーは、ドリッパー内に予めレギュラーコーヒー粉、紅茶や緑茶の葉等の内容物を収納したものであって、このドリッパーによれば、レギュラーコーヒー粉、紅茶や緑茶の葉等の内容物を別途用意する手間や前記内容物をドリッパー内に充填する手間をも省くことができる。
【０００６】
しかし、上記実公昭６０−７６１５号公報に開示されたドリッパーは、ドリッパー内に予めレギュラーコーヒー粉、紅茶や緑茶の葉等の内容物を収納したものである。このため、製造されてから使用者が使用するまでの間に内容物の香りや味等の成分がドリッパーの漏斗状フィルターに吸着され、販売者が本来意図した香りや味を使用者にそのまま伝えることができないという問題があった。
【０００７】
【発明が解決しようとする課題】
本発明は、上記従来技術の問題点に鑑みて創案されたものであって、その目的とするところは、レギュラーコーヒー粉、紅茶や緑茶の葉等の内容物を収納すると共に、製造から使用されるまでの間に内容物の変質を防止することはもとより、販売者が意図した香りや味を使用者に伝えることができ、使用時には簡単な操作で開口することができると共に簡単に起立させてカップに安定した状態で載置固定して濾過することができる使い捨てタイプのドリッパーを提供することである。
【０００８】
【課題を解決するための手段・作用・効果】
本発明のドリッパーは、「上方側の内容物と下方側の濾過用隔壁底部材とを間隔をおいて包装した袋体」と「当該袋体の周囲を覆うとともに、当該袋体の外表面に連結されて折り畳まれており、開いた状態でカップ上に載置固定される筒状枠体」とを備える。上記袋体には、濾過用隔壁底部材の下端縁よりも下方側に下部開口予定部が、濾過用隔壁底部材の上端縁よりも上方側に上部開口予定部が、それぞれ形成されたことを特徴としている。
【０００９】
上記構成を有する本発明のドリッパーにおいては、レギュラーコーヒー粉、紅茶や緑茶の葉等の内容物を収納すると共に、製造から使用されるまでの間に内容物の変質を防止することはもとより、販売者が意図した香りや味を使用者に伝えることができる使い捨てタイプのドリッパーとすることができる。
【００１０】
本発明のドリッパーにおいては、上記上部開口予定部を、内容物よりも上方側に形成することとしてもよい。かかる構成を採用すると、上部開口予定部に沿って包装袋を開封したときに内容物の残りかすが周辺にこぼれ散るのを、効果的に防止できる。さらには、内容物を筒状枠体の内部側に位置させることができるので、ドリッパ全体をコンパクトにすることができ、取扱い等が容易となる。
【００１１】
本発明のドリッパーにおいては、折畳状態にある前記筒状枠体の側縁に、開いた状態にあるときの当該筒状枠体の筒状形状を保持する保形用押込部を設けてもよい。かかる構成を採用すると、押込部を内側に押し込むことで、筒状枠体が筒状に開いた状態に確実に保形でき、注湯口および抽出口の開口状態を確実に保持できる。
【００１２】
本発明のドリッパーにおいては、筒状枠体の下端縁に、カップの上端縁と係合する係合突片を形成してもよい。かかる構成を採用すると、ドリッパーを、カップ上面に安定して載置固定できる。
【００１３】
本発明のドリッパーにおいては、筒状枠体は、折畳状態から開けるときに使用者が摘む起立フラップを備えていてもよい。かかる構成を採用すると、この起立フラップを指で引っ張ることで、筒状枠体を容易に筒状に開くことができる。
【００１４】
本発明のドリッパーにおいては、上記内容物および濾過用隔壁底部材を袋体内において真空包装することが好ましい。かかる構成を採用することで、内容物が酸化するのを防止できる。さらに、使用時には、まず包装袋の下部開口予定部を開封して抽出口を形成すると、この抽出口から外気を包装袋内に自然導入して内容物収納部に収納された内容物を簡単に隔壁底部材に落下させることができる。
【００１５】
【発明の実施の形態】
本発明の実施形態を添付の図面を参照して以下に詳細に説明する。図１は、本発明にかかるドリッパーの一実施例を示す正面図である。ドリッパー１は、折り畳むことにより矩形状となした筒状枠体２に、包装袋３を装着してなる。包装袋３は、袋体の内面に濾過機能を有する隔壁底部材４が前記袋体の全幅に亘って架設され、隔壁底部材４の上方の袋体内の内容物収納部Ａにレギュラーコーヒー粉、紅茶や緑茶の葉等の内容物が真空状態に収納されて周縁３０を熱接着して密封してなる。包装袋３は、上部と下部とに上部開口予定部３１（破線で表示）と下部開口予定部３２（破線で表示）とを有する。包装袋３は、内容物収納部Ａと上部開口予定部３１とが筒状枠体２の上端から、また、下部開口予定部３２が筒状枠体２の下端から突出するようにして、包装袋３に装着されている。包装袋３は、隔壁底部材４を架設した個所が使用時に漏斗状となるように、下部側が逆台形状に構成されている。
【００１６】
筒状枠体２の折曲両側縁の略中央部には、当該筒状枠体２を起立させて筒状に保持する押込部２１、２１’が設けられている。また、筒状枠体２の下端縁の折曲両側縁および中央部には、係合突片２２が４箇所（図１中には３箇所だけ現れている）形成されており、この係合突片２２により筒状枠体２の下端縁に必然的に切欠部２３が４個所（図１中には２箇所だけ現れている）形成されることとなる。筒状枠体２は、筒状に開いた状態において、係合突片２２と切欠部２３とが協働することで、カップ壁面に載置固定される。さらに、筒状枠体２の略中央部の対向する位置には、当該筒状枠体２を筒状に起立させて開けるために用いる起立フラップ５が２箇所（図１中には１個所だけ現れている）形成されている。
【００１７】
次に、ドリッパー１を構成する筒状枠体２と包装袋３について説明する。最初に、図２を参照して、筒状枠体２について説明する。図２は、図１中に示した筒状枠体２の展開図である。筒状枠体２は、背面補助板２２０’、前面板２１０、背面主板２２０を、折罫２４、２５を介して順次連接してなるブランク板２'で構成されている。図２中において、ブランク板２'の下端縁には、折罫２４及び折罫２５に対してそれぞれ線対称に突出した係合突片２２、２２、及び、前面板２１０の中央部と背面主板２２０の中央部に突出した係合突片２２、２２が形成されている。そして、これらの係合突片２２の間には、必然的に切欠部２３が形成されることとなる。
【００１８】
折罫２４、２５のそれぞれの略中央部には、当該折罫２４、２５に対して線対称となるように、略コの字形状の切刃２４１、２５１が設けらており、これによって、切刃２４１、２５１に連接し折罫２４、２５に対して線対称形状の略半円状開口２４２、２５２が形成される。また、各切刃２４１、２５１の両端部から延びて折罫２４、２５にそれぞれ交わる傾斜折罫２４３、２４３及び２５３、２５３が設けられており、これらの傾斜折罫と上記折罫２４との交点には円形開口２４４、２５４が形成されている。
【００１９】
前面板２１０および背面主板２２０の中央部には、略Ｃの字形状の開口２１１、２２１を形成している。各開口２１１、２２１の図２中上方側には、水平折罫２１２、２２２を介して、起立フラップ５、５’を連接している。
【００２０】
まず、前面板２１０上に背面主板２２０を折罫２５で折り重ね、次に、折り重ねた背面主板２２０上に背面補助板２２０’を折罫２４で折り重ねる。そして、背面主板２２０と背面補助板２２０’との重ね部を接着剤等により接着することで、ブランク板２'から筒状枠体２を得ることができる。なお、ブランク板２’は、周知の打抜機で容易に製造することができる。
【００２１】
ところで、図１に示した押込部２１は、切刃２４１と、略半円状開口２４２と、傾斜折罫２４３、２４３と、両開口２４２、２４４間に存在する折罫２４と、で形成される。同様に、押込部２１’は、切刃２５１と、略半円状開口２５２と、傾斜折罫２５３、２５３と、両開口２５２、２５４間に存在する折罫２５と、で形成される。なお、筒状枠体は、代表的には紙材を用いて構成され、たとえば、２６０〜３４０ｇ／ｍ２の耐水カード紙、アイボリー紙などが適当である。しかし、プラスチック等の他の材料で構成することも勿論可能である。
【００２２】
次に、図３〜５を参照して、包装袋３について説明する。図３は、図１のドリッパーに用いる包装袋３を、内容物を収納した状態で示す説明図である。図４は、図３のＸ−Ｘ線断面図、図５は、図３のＹ−Ｙ線断面図である。
【００２３】
包装袋３は、レギュラーコーヒー粉、紅茶や緑茶の葉等の内容物Ｂ（図４参照）を内容物収納部Ａに真空状態で収納するとともに、下部側を逆台形状として構成された６角形の袋である。包装袋３は、内層に熱接着性樹脂層を有する酸素等のガスバリアー性や遮光性に優れた積層体からなる６角形の胴材３１０、３２０を、内層同士を対向させた状態で周縁部３０を熱接着して形成されている。周縁部３０は、図３に示したように、上部端縁熱接着部３３０、下部端縁熱接着部３４０、両側部端縁熱接着部３５０、３５０、両斜側部端縁熱接着部３６０、３７０の６つの部分で構成される。
【００２４】
包装袋３内の下方側の領域には、濾過機能を有する隔壁底部材４が配置されている。隔壁底部材４は、上部端縁熱接着部３３０および下部端縁熱接着部３４０と平行に延在しており、両斜側部端縁熱接着部３６０と３７０とを繋ぐようにして、逆Ｖ字状に折り込まれている。折り畳まれた状態の隔壁底部材４は、図４に示すように、前面部４１と後面部４２とを有しており、各面部は、底部熱接着部３８０、３９０において、胴材３１０、３２０に熱接着されている。底部熱接着部３８０、３９０は、下部端縁熱接着部３４０と平行な直線状に延びており、その両端が両斜側部端縁熱接着部３６０、３７０と共に熱接着されている。隔壁底部材４によって、包装袋３の内部が上部区画および下部区画の２つの区画に区分される。なお、隔壁底部材４と下部端縁熱接着部３４０とが接することを防止すると共に、下部開口予定部３２を形成するために空隙部４００を設けている。
【００２５】
隔壁底部材４に対して上方の上部区画内では、隔壁底部材４との間に所定間隔をおいて、内容物収納部Ａが設けられている。この間隔を設けることで、内容物の味や香りの成分が隔壁濾過材(フィルター)に吸着されるのを防止できる。内容物収納部Ａには、レギュラーコーヒー粉、紅茶や緑茶の葉等の内容物Ｂが収納されている。また、上部区画には、包装袋３を横断するように上部開口予定部３１（破線で表示）が形成されている。他方、下部区画内では、空隙部４００に対応する位置に包装袋３を横断するように下部開口予定部３２（破線で表示）が形成されている。上部開口予定部３１及び下部開口予定部３２の両端には、易開封用の切欠３３、３３と３４、３４を形成している。各切欠３３、３４を開口開始端として、包装袋３を上部開口予定部３１及び下部開口予定部３２に沿って容易に引き裂くことができる。なお、図４、５においては、隔壁底部材４を設けた個所に空間が存在するように図示されているが、これは本発明のドリッパーをより良く理解してもらうために図示したものであって、実際には、包装袋３は真空状態に保持されており、図示したごとき空間は存在しない。
【００２６】
包装袋３を構成する胴材３１０、３２０としては、内層に熱接着性樹脂層を有する酸素や水蒸気などのガスバリアー性、あるいは、遮光性等に優れた積層体であれば特に限定されるものではない。また、内層に用いる材料としては、熱により溶融し相互に溶着すると共に、隔壁底部材４とも溶着する熱接着性樹脂からなる層であって、包装袋に要求される物性と隔壁底部材の材質により適宜選択して用いればよく、たとえば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂を用いることができる。
【００２７】
また、胴材３１０、３２０の外層に用いる材料としては、包装袋３を構成する基材となることから、機械的、物理的、化学的等において優れた性質を有する合成樹脂製フィルムを用いることができ、たとえば、ポリエステル系、ポリアミド系、ポリプロピレン系、ポリアセタール系等の樹脂を用いることができる。また、これらの樹脂からなるフィルムとしては、未延伸、あるいは、一軸ないし二軸方向に延伸した延伸フィルムのいずれのものでも用いることができ、フィルムの厚さとしては基材としての強度、剛性などについて必要最低限に保持され得る厚さであればよく、コストや包装袋に要求される物性などを勘案して決めればよいが、包装袋３の基材となることから、一軸ないし二軸方向に延伸した延伸フィルムがより好ましい。また、包装袋に要求される物性によってはセロハンや合成紙を用いてもよい。
【００２８】
また、包装袋３には、酸素や水蒸気などのガスバリアー性や遮光性を付与するために内層と外層との間に必要に応じて中間層を設けても構わない。この中間層に用いる材料としては、たとえば、アルミニウム、鉄、銅、錫等の金属箔、あるいは、ポリビニルアルコール、エチレン−酢酸ビニル共重合体ケン化物、ポリ塩化ビニリデン等のフィルム、あるいは、ポリエステル、ポリアミド、ポリエチレン，ポリプロピレン，エチレン−プロピレン共重合体等のポリオレフィンやポリビニルアルコール等のフィルムにポリ塩化ビニリデンを塗工したフィルムないしはアルミニウム、酸化珪素、酸化アルミニウム、酸化インジウム、酸化錫、酸化ジルコニウム等の無機物の蒸着を施したフィルムなどを用いることができる。
【００２９】
また、前記中間層は、上記したガスバリアー性、および／ないし、遮光性を付与するのみならず、たとえば、機械的強靭性、耐屈曲性、耐突き刺し性、耐衝撃性、耐寒性、耐熱性、耐薬品性等の機能を付与することができ、上記したガスバリアー性、および／ないし、遮光性を付与する材料と、たとえば、ポリエステル、ポリアミド、ポリエチレン，ポリプロピレン，エチレン−プロピレン共重合体等のポリオレフィン等のフィルムと、を組合わせて用いても構わない。
【００３０】
なお、前記外層を上記した合成樹脂製フィルムにポリ塩化ビニリデンを塗工したものやアルミニウム、酸化珪素、酸化アルミニウム、酸化インジウム、酸化錫、酸化ジルコニウム等の無機物の蒸着層を形成したものを用いる場合には、ガスバリアー性、および／ないし、遮光性を付与するための前記中間層は用いなくともよいが、必要に応じて、たとえば、機械的強靭性、耐屈曲性、耐突き刺し性、耐衝撃性、耐寒性、耐熱性、耐薬品性等の機能を付与するために、たとえば、ポリエステル、ポリアミド、あるいは、ポリエチレン，ポリプロピレン，エチレン−プロピレン共重合体等のポリオレフィン等の未延伸、あるいは、一軸ないし二軸方向に延伸した延伸フィルムなどの一種ないしそれ以上を組み合わせて中間層として用いることができる。
【００３１】
また、本発明のドリッパー１に用いる濾過機能を有する隔壁底部材４としては、そのもの自体が熱接着性を有すると共に胴材３１０、３２０の内層と熱接着性を有するものであって、濾過機能を有するものであれば、特に限定されるものではない。
【００３２】
次に、本発明のドリッパー１の製造方法を、図２〜４を参照して説明する。まず、包装袋３は、隔壁底部材４の供給装置を備えた四方シールタイプの製袋機を用いて容易に製造することができ、通常、図３に示す上部端縁熱接着部３３０のみが開放された状態の一辺開口包装袋３’（図６参照）として製造される。
【００３３】
そして、別途打抜機で型抜きされたブランク板２’の前面板２１０と背面主板２２０とに接着剤を塗工し、該接着剤を塗工した前面板２１０上に一辺開口包装袋３’を位置決めして固着すると共に、背面主板２２０を折罫２５で一辺開口包装袋３’上に折り重ねて圧着し、その後に背面主板２２０上に背面補助板２２０’を折罫２４で折り重ねると共に、背面主板２２０と背面補助板２２０’との重ね部を接着剤等を用いて接着することにより、筒状枠体２に一辺開口包装袋３’が挿着された状態の図６に示すドリッパー１’を得ることができる。なお、接着剤としては、溶剤型、水性型、ホットメルト型、反応型、感圧型等の接着剤から適宜選択して用いることができる。
【００３４】
このドリッパー１’の内容物収納部Ａに、充填機を用いてレギュラーコーヒー粉、紅茶や緑茶の葉等の内容物Ｂを上方の開口部から充填する。充填の際、包装袋３’の隔壁底部材４より上方の位置を外部から線状ないし帯状に押圧する瀬切り装置を用いて、包装袋３’内部を上部と下部とに瀬切る。これにより、隔壁底部材４から所定間隔をおいた内容物収納部Ａに内容物Ｂを充填できる。内容物Ｂを充填した後真空脱気を行ない、前記開口部を上部端縁熱接着部３３０で熱接着することで、図１に示した本発明のドリッパー１を得ることができる。
【００３５】
次に、本発明のドリッパー１の使用方法について説明する。レギュラーコーヒー粉、紅茶や緑茶の葉等の内容物Ｂを内容物収納部Ａに収納した包装袋３（図４参照）を筒状枠体２に挿着してなるドリッパー１（図１参照）に対して、まず、包装袋３に形成した下方側の切欠３４から下部開口予定線３２に沿って包装袋３を引き裂いて下部を開口させる。図１に示したように、下部開口予定線３２を筒状枠体２の下端縁よりも下方に形成しているので、この引き裂き動作を容易に行なうことができる。最初は真空脱気されていた包装袋３内に、引き裂きによって形成された開口から外気が導入されるので、筒状枠体２に設けた起立フラップ５を摘んで筒状枠体２を開くように数回引っ張ると、包装袋３の内容物収納部Ａに収納された内容物Ｂを隔壁底部材４上に落下させることができる。その後、包装袋３の上方側に形成した切欠３３から上部開口予定線３１に沿って包装袋３を引き裂いて上部を開口させる。図１に示したように、上部開口予定線３３を筒状枠体２の上端縁よりも上方に形成しているので、この引き裂き動作を容易に行なうことができる。次に、筒状枠体２に形成した押込部２１、２１’を手指等で押し込んで、筒状枠体２を筒状に開口した状態に保形する。これにより、上述の引き裂きによって形成した上下の開口も開口状態に保持される。その後、図７に示すように、筒状枠体２の下端縁に形成した係合突片２２及び切欠部２３において、ドリッパー１をカップ上面に載置固定する。この状態で、上方の開口から熱湯を注湯してカップ内に所望の飲料を得ることができる。
【００３６】
ところで、今まで説明してきたドリッパー１は、本発明の一実施例を示したものであって、本発明はこれに限定されるものではない。包装袋３の隔壁底部材４に内容物Ｂが接触しないように、隔壁底部材４との間に所定間隔をおいて内容物収納部Ａが設けられている本発明の趣旨を逸脱しない範疇のものはすべて本発明に含まれる。たとえば、図８に示すドリッパー１”は、内容物Ｂが隔壁底部材４と接触しないように僅かな間隔を設けた上で、内容物収納部Ａの下端が隔壁底部材４の近傍に位置するように構成し、その結果、内容物収納部Ａは筒状枠体２の内部にまで延在している。そして、上部開口予定部３１および切欠３３を内容物収納部Ａの上端よりも上方に配置している。その他の構成は、図１に示したドリッパー１と同じである。
【００３７】
このように構成することで、図１のドリッパー１に比べて包装袋を小さくすることができ、それだけ安価なものとすることができる。また、切欠３３から上部開口予定部３１に沿って包装袋を開封したときに、図１に示すドリッパー１では、内容物Ｂの残りかすが周辺にこぼれ散る可能性があったが、図８のドリッパー１”では、内容物Ｂは上部開口予定部３１よりも下側に封入されているので、残りかすが周辺にこぼれ散るのを防止できる。
【００３８】
上記実施形態においては、内容物を充填した後、真空脱気して真空包装することで、内容物が隔壁底部材に接触するのを防止している。この他に、内容物と隔壁底部材との間に間隔を設ける手段としては、内容物収納部Ａと隔壁底部材４との間に剥離可能に形成した接着部を設ける方法や、筒状枠体２の上部で袋体を２つに折り曲げた状態で内容物を収納するとともに、袋体の上端部をシールし、そのまま、外装体(箱や袋等)に収納する方法等を挙げることができる。
【００３９】
ドリッパー１をカップ壁面に載置固定するために筒状枠体２の下端縁に設けた係合突片２２ないし切欠部２３についても上記で説明した構成に限るものではなく、要するにカップ壁面に挿入可能であって、安定して載置固定できる本発明の趣旨を逸脱しない範疇のものはすべて本発明に含まれる。また、筒状枠体２に設けた押込部２１、２１’についても上記で説明した構成に限るものではなく、要するに筒状枠体２を開口状態に保形することができる本発明の趣旨を逸脱しない範疇のものはすべて本発明に含まれる。
【００４０】
また、上記説明においては、上下部開口予定部３１、３２を開口するために開口開始端として切欠３３、３４を設けた実施例を示したが、切欠３３、３４に代えて、上下部開口予定部３１、３２に傷痕群等の他の開口手段を設けてもよい。さらに、必要に応じて、切欠３３、３４や傷痕群等の開口手段を組合わせて用いてもよい。さらにまた、包装袋３を構成する胴材３１０、３２０に一軸方向に延伸したフィルムを用いることにより、上下部開口予定部３１、３２の開口面を美麗に形成するようにすることもできる。
【００４１】
【発明の効果】
以上説明したように、本発明のドリッパーは、レギュラーコーヒー粉、紅茶や緑茶の葉等の内容物を収納したドリッパーであって、内容物を別途用意する手間や前記内容物をドリッパー内に充填する手間を省き、折り畳まれたドリッパーを簡単な操作で起立させ、ドリッパーに設けられた突片あるいは切込や切欠部を利用してカップ壁面にドリッパーを載置固定し、熱湯をドリッパー内に注湯するだけでカップ内に所望の飲料を得ることができると共に、使用したドリッパーは使い捨てであり洗浄するなどの手間が要らないという優れた効果を奏するものである。さらに、本発明のドリッパーは、製造から使用されるまでの間に内容物の変質を防止することができると共に、濾過機能を有する隔壁底部材と内容物とを使用する段階まで分離した状態で保持されるために、内容物の香りや味の成分が隔壁底部材に吸着されることがなく、販売者が意図した香りや味を使用者に伝えることができるという極めて優れた効果を奏するものである。
【図面の簡単な説明】
【図１】  本発明のドリッパーの第１の実施形態を示す正面図である。
【図２】  図１のドリッパーに用いる筒状枠体の展開図である。
【図３】  図１のドリッパーに用いる包装袋を、内容物を収納した状態で示す説明図である。
【図４】  図３のＸ−Ｘ線断面図である。
【図５】  図３のＹ−Ｙ線断面図である。
【図６】  図１のドリッパーの内容物充填前の説明図である。
【図７】  本発明のドリッパーの使用方法を説明する図である。
【図８】  本発明のドリッパーの第２の実施形態を示す正面図である。
【符号の説明】
１、１’、１”  ドリッパー
２  筒状枠体
２’  筒状枠体のブランク板
３、３’、３”  包装袋
４  隔壁底部材
４１  隔壁底部材の前面部
４２  隔壁底部材の後面部
５  起立フラップ
２１、２１’  押込部
２２  係合突片
２３  切欠部
２１１、２２１、２４２、２５２  開口
２４４、２５４  円形開口
２４，２５  折罫
２１２、２２２  水平折罫
２４３、２５３  傾斜折罫
３０  周縁
３１  上部開口予定部
３２  下部開口予定部
３３、３４  切欠
２１０  前面板
２２０  背面主板
２２０’  背面補助板
３１０，３２０  胴材
３３０  上部端縁熱接着部
３４０  下部端縁熱接着部
３５０  側部端縁熱接着部
３６０，３７０  斜側部端縁熱接着部
３８０，３９０  底部熱接着部
４００  空隙部
Ａ  内容物収納部
Ｂ  内容物
【図１】
0003793071.tif 000002
【図２】
0003793071.tif 000003
【図３】
0003793071.tif 000004
【図４】
0003793071.tif 000005
【図５】
0003793071.tif 000006
【図６】
0003793071.tif 000007
【図７】
0003793071.tif 000008
【図８】
0003793071.tif 000009